(57)【特許請求の範囲】
【請求項１】
画像または音声から構成される受信情報の記録と読み出しとを並行して行う記録再生装置であって、
受信情報を格納する受信バッファメモリと、
受信情報の記録と読み出しを兼用して行うヘッド部を用いて、上記受信バッファメモリから読み出した受信情報を使用者の指示に応じてディスク型記録媒体における所定の記録開始位置からの記録を指示し、記録開始を可能とする記録制御部と、
上記ヘッド部を用いて上記ディスク型記録媒体から読み出した受信情報を格納する再生バッファメモリと、
上記再生バッファメモリから読み出した受信情報を再生させる再生部と、
を備え、
記録が完了していないうちに使用者の指示に応じて再生が開始されると、上記記録制御部により指示された上記記録開始位置に上記ヘッド部を位置づけて再生を開始し、上記ディスク型記録媒体への記録とディスク型記録媒体からの読み出しとを交互にくり返す動作を上記受信バッファメモリへの格納及び再生バッファメモリからの読み出しと並行して行わせるとともに、使用者の指示によって受信情報の上記ディスク型記録媒体への記録終了と再生終了を別々に行なわせることを特徴とする記録再生装置。
【請求項２】
上記ディスク型記録媒体に対するヘッドの位置を制御する位置づけ部を備えることを特徴とする請求項１に記載の記録再生装置。
【請求項３】
上記再生バッファメモリからの受信情報の読み出しに要する時間が、受信情報を上記ディスク型記録媒体に記録する時間と上記ディスク型記録媒体から受信情報を読み出して上記再生バッファメモリに格納する時間との和よりも長く設定されていることを特徴とする請求項１または請求項２に記載の記録再生装置。
【請求項４】
上記受信バッファメモリからの受信情報の読み出し速度は、上記受信バッファへの受信情報の格納速度よりも速いことを特徴とする請求項１ないし請求項３の何れかに記載の記録再生装置。
【請求項５】
上記記録制御部は、受信情報をその受信順に上記ディスク型記録媒体の連続する領域に記録するように制御することを特徴とする請求項１ないし請求項４の何れかに記載の記録再生装置。
【請求項６】
上記受信バッファメモリに格納される受信情報は、ディジタル化された情報であることを特徴とする請求項１ないし請求項５の何れかに記載の記録再生装置。
【請求項７】
上記ディスク型記録媒体に記録する情報を圧縮情報とすることを特徴とする請求項１ないし請求項６の何れかに記載の記録再生装置。
【請求項８】
上記ディスク型記録媒体は装置本体に内蔵されたハードディスクであることを特徴とする請求項１ないし請求項７の何れかに記載の記録再生装置。
【請求項９】
上記ディスク型記録媒体は光ディスクであることを特徴とする請求項１ないし請求項７の何れかに記載の記録再生装置。
【請求項１０】
上記ディスク型記録媒体はスパイラル状の記録トラックを備えることを特徴とする請求項１ないし請求項９の何れかに記載の記録再生装置。
【発明の詳細な説明】
【０００１】
【産業上の利用分野】
本発明はテレビジョン受像機やマルチメディア情報機器などに適用される受信映像信号を録画・再生する録画再生装置に係り、特に録画と再生を並行して動作させることが可能な録画再生装置に関する。
【０００２】
【従来の技術】
特開平3-259678号公報に、記録用ヘッドと再生用ヘッドを分離して設け、それぞれを独立に制御可能にしたビデオディスク装置が提案されている。上記ビデオディスク装置においては記録用と再生用の２個のヘッドを設けたことにより、録画と再生を並行して行えるが、その駆動系をそれぞれのヘッドに対応して２系統備える必要がある。
【０００３】
【発明が解決しようとする課題】
即ち、上記従来技術においては、上記のようにヘッドやその駆動系をそれぞれ２個備えねばならないのでコストアップになる。
【０００４】
【発明の目的】
本発明は上記のような従来技術の問題を解決するためになされたものであり、録画と再生を並行して動作させることが可能な低コストの録画再生装置を提供することを目的としている。
【０００５】
【課題を解決するための手段】
上記目的を達成する為本発明は、録画と再生を並行して動作させることが可能な録画再生装置において、受信情報を格納する受信バッファメモリと、上記受信バッファメモリから読み出した受信情報を録画するディスク型記録媒体と、上記ディスク型記録媒体から再生した受信情報を格納する再生バッファメモリと、上記ディスク型記録媒体への録画とディスク型記録媒体からの再生を交互にくり返す動作を上記受信バッファメモリへの格納及び再生バッファメモリからの情報出力と並行して行わせる手段を備えたこと、ディスク型記録媒体に録画する情報を圧縮情報とする構成にしたことを特徴としている。
【０００６】
【作用】
受信情報を格納する受信バッファメモリと、上記受信バッファメモリから読み出した受信情報を録画するディスク型記録媒体と、上記ディスク型記録媒体から再生した受信情報を格納する再生バッファメモリと、上記ディスク型記録媒体への録画とディスク型記録媒体からの再生を交互にくり返す動作を上記受信バッファメモリへの格納及び再生バッファメモリからの情報出力と並行して行わせる手段を備えた構成にしたので、１個のヘッドにより録画と再生を並行して行うことができる。
また、ディスク型記録媒体に録画する情報を圧縮情報とする構成にしたので、記録媒体に記録できる録画時間が長り、１個のヘッドによる録画と再生の並行動作も容易になる。
【０００７】
【実施例】
以下、図面により本発明の一実施例を詳細に説明する。図１は本発明による録画再生装置の一実施例を示すブロック図である。
図において、符号１及び２はディジタル化された受信情報を格納する受信バッファメモリ、３はデータ量を圧縮する圧縮部、４は圧縮部３により圧縮された情報を一時的に格納する圧縮情報バッファ、５は圧縮情報をディスク型記録媒体６に記録するための記録制御部である。ここで、ディスク型記録媒体６は例えばハードディスクや光磁気ディスクのように、同心円またはスパイラル状の記録トラックを備えた記録媒体である。更に図１において７は記録媒体６から記録されている情報を記録順に再生する再生部、８は再生された圧縮情報を一時的に格納する圧縮情報バッファ、９は圧縮情報を元の情報に伸長する伸長部、10及び11は伸長された画像情報を格納する再生バッファメモリ、12は再生バッファ10または11から再生順にフレーム単位で読み出し、１フレーム分の出力画像情報を出力画面のレイアウトで保持するフレームメモリ、１４は音声情報を格納する再生音声バッファ、１５はバッファ１４からの再生音声情報をデコードするデコーダ、１６はデコードされた音声情報をＤＡ変換するＤＡ変換器、１７はＤＡ変換された音声情報を増幅する増幅器、１８は増幅された音声情報を出力するスピーカである。
【０００８】
上記のような構成の録画再生装置によって、通常はまず専ら録画が行われる。このとき、ディジタル化された受信情報は最初、受信順に受信バッファメモリ１の連続する領域に格納され、所定フレーム数（所定時間分）格納すると続いて受信情報は受信バッファメモリ２に同じ様に格納される。一方、受信バッファメモリ１への格納が終ると図示していない制御手段により受信バッファメモリ１より受信順に受信情報を読み出し、専用の圧縮回路から構成される圧縮部３に入力し、30分の１程度に圧縮された圧縮画像情報を得る。圧縮部３から出力された圧縮情報は圧縮情報バッファ４に一時的に保持された後、図示していない手段により画像情報と対で与えられた音声情報と共に、記録制御部５によって記録媒体６に記録される。この記録は受信順に連続する領域に対して行われる。上記において受信バッファメモリ１、２からの出力速度は受信バッファメモリ１、２へ格納する速度よりも数倍速く設定されており、記録制御部５による記録速度は、情報が圧縮されているので受信バッファメモリ１、２からの出力速度の約30分の１の圧縮部３の出力スループットに追随するスループットで行われる。
【０００９】
受信バッファメモリ２への受信が完了しないうちに受信バッファメモリ１からの読み出しは完了しており、やがて受信バッファモメリ２への格納が所定フレーム数に達すると受信情報の格納は受信バッファメモリ１に対して行われ、受信バッファメモリ２から読み出して記録媒体６の連続する領域に記録する処理が行われる。以下、このくり返しが行われる。
【００１０】
録画が完了しないうちに再生が開始されると、次のように動作する。まず、記録媒体６のヘッドが位置付け部20によって制御され読み取り位置に移される。この位置はそのとき録画した領域の先頭位置である。続いて再生部７により所定量の再生を行う。録画順に読み出された圧縮情報は圧縮情報バッファメモリ８に一時的に保持され、伸長部９で圧縮前の状態に伸長され、再生バッファメモリ10に格納する。この間、続きの受信情報は絶えることなく入力され、これは前記のように受信バッファメモリ１または２に格納される。
【００１１】
上記再生バッファメモリ10への所定量の格納が終ると、再生バッファメモリ10からの読み出しが開始され、フレームメモリ12を介して表示装置13に、例えば30フレーム／秒の速度で映出される。また記録媒体６上のヘッドは再び記録位置に移され、前記のようにして受信バッファメモリ１または２から続きの受信情報を読み出し、前記のようにして記録媒体６に圧縮情報を記録する。所定量の受信情報の記録が完了すると再び記録媒体６上のヘッドは再生位置に移され、上記のようにして伸長部９から伸長された画像情報が出力されるが、今度はこの出力情報は再生バッファメモリ11に格納される。
【００１２】
上記において、所定量の情報を再生バッファメモリから出力するに要する時間は、記録・再生位置間を往復する時間と同量の受信情報を記録媒体に記録する時間と記録媒体から再生して同量の伸長情報を再生バッファメモリに格納する時間の和より長くなるように設定されている。従って、一方の再生バッファメモリからの出力が完了しないうちに、それに続いて出力される画像情報の他方の再生バッファメモリへの格納が終了する。
以下同様にして、記録（録画）と再生が交互にくり返され、この間、受信情報を受信バッファメモリ１、２へ格納する動作及び再生バッファメモリ１０、１１から読み出して映出させる動作は絶えることなく続行される。
【００１３】
上記において、圧縮／伸長部３、９は記録される情報量を削減する目的、及び記録／再生時間を短縮する目的で設けられているが、圧縮しなくても、記録／再生速度を受信速度や表示装置への出力速度より速くすることにより、上記のように記録／再生時間と記録・再生位置間の往復時間の和が受信時間や出力時間よりも短かくできれば必ずしも必要ない。
【００１４】
また、受信情報は画像情報と音声情報から構成されているが、所定フレームの画像に対応したディジタル化された音声情報は受信バッファメモリ１または２内の特定領域に格納され、例えば所定量（所定フレーム）の画像を記録媒体に記録する際、画像情報に連続する領域に記録される。この記録された音声情報が再生部７によって再生されると、一まず再生音声バッファメモリ14に格納され、対応する画像情報が再生バッファメモリから出力されるとき、それに同期して再生音声バッファメモリ14から読み出され、デコーダ15、ＤＡ変換器16でデコード及びＤＡ変換され増巾器17で増巾され、スピーカ18に出力される。  前記所要時間の関係から言って、ヘッドの移動時間を記録・再生時間に比べて無視できるくらいにするのが望ましいがそのためには受信バッファメモリ及び再生バッファメモリの容量を大きくし前記所定量を大きくする必要がある。なお、この実施例においては、上記受信情報の録画再生動作は図示しない制御部の制御の下に行われている。
【００１５】
図２はに上記記録・再生並列動作時の動作説明図である。図２の丸内の番号は処理の順序を示す番号である。また、図に示すブロックとは１回当たりの記録・再生単位つまり所定量の受信情報であって、第１回目の記録の対象ブロックがブロック１、第ｎ回目の記録の対象ブロックがブロックｎである。つまり図２のフローはブロックｎを記録するところから始まっている。この直前までは再生を行わずブロック１からブロックｎ−１までの記録を行なってきたわけである。
【００１６】
【発明の効果】
以上説明したように、本発明によれば、１個のヘッドにより録画と再生を並行して行うことができるので、従来技術に比べて低コスト化が可能である。
また、ディスク型記録媒体に録画する情報を圧縮情報とする構成にしたので、記録媒体に記録できる録画時間を長くできる。
【図面の簡単な説明】
【図１】本発明による録画再生装置の一実施例を示すブロック図である。
【図２】図１に示す実施例の動作を説明するための図である。
【符号の説明】
１、２…受信バッファメモリ、５…記録制御部、６…記録媒体、７…再生部、
10、11…再生バッファメモリ、12…フレームメモリ、13…表示装置、20…位置付け部。
【図１】
0003659984.tif 000002
【図２】
0003659984.tif 000003